(57)【要約】無線通信システムは、各パケットの正常な受信を肯定応答するためにＡＲＱ方式に従って動作する二次局に一連のデータパケットを送信するように構成された一次局を有する。前記一次局は、正常に受信されなかった全てのパケットに関連するエラー訂正情報を送信し、これにより前記二次局が前記データを正常に抽出できるようにする。前記データパケットは、１つのパケットの送信におけるエラーが他のチャネル中のパケットの送信を停滞させないように、複数の論理チャネルを介して送信される。データ送信のある一次局から他への移管は、各チャネルを、該チャネル上におけるデータパケットの正常な受信が肯定応答された場合に移管することにより為される。これにより、データパケットがエラーで受信され前記エラー訂正の送信が完了されていないような論理チャネルの移管において必要とされる余分な信号送信を回避する。
2004519910.tif 000002
【特許請求の範囲】
【請求項１】
一連のデータパケットを二次局に送信する手段を持つ一次局を有する無線通信システムであって、ここで前記二次局は各パケットが正常に受信されたか否かを決定する手段と前記一次局に該決定を信号送信する手段とを持ち、前記一次局は、前記二次局が正常に受信しなかったデータパケットに関連するエラー訂正情報を前記二次局が該パケットを復号化するのを補助するために送信する手段と、複数の論理チャネルを介して前記一連のデータパケットを送信し、これによりエラー訂正情報が他のチャネル上を送信されている間に少なくとも１つのチャネル上でデータパケットの継続された送信を可能にする手段と、少なくとも２つの前記論理チャネルの送信を他の一次局へ移管するハンドオーバ手段とを有し、ここで前記ハンドオーバ手段は、前記少なくとも２つの論理チャネルの夫々を、該論理チャネル上で一番最近に送信されたパケットの正常な受信の肯定応答の受信に応じて、他の論理チャネルの状態にかかわらず個別に他の一次局へ移管する手段を有する無線通信システム。
【請求項２】
前記エラー訂正情報は正常に受信されなかった前記データパケットの再送信を有することを特徴とする、請求項１に記載のシステム。
【請求項３】
前記エラー訂正情報は、前記二次局がインクリメンタルな冗長性方式を利用できるようにすることを特徴とする、請求項１に記載のシステム。
【請求項４】
一次局であって、一連のデータパケットを二次局に送信する手段と、前記二次局によって送信された信号から各パケットが正常に受信されたか否かを決定する手段と、前記二次局が正常に受信しなかったデータパケットに関連するエラー訂正情報を前記二次局が該パケットを復号化するのを補助するために送信する手段と、複数の論理パケットを介して一連のデータパケットを送信し、これによりエラー訂正情報が他のチャネル上で送信されている間に少なくとも１つのチャネル上でデータパケットの継続された送信を可能にする手段と、少なくとも２つの論理チャネルの送信を他の一次局に移管するハンドオーバ手段とを有し、ここで前記ハンドオーバ手段は、前記少なくとも２つの論理チャネルの夫々を、該論理チャネル上で一番最近に送信されたパケットの正常な受信の肯定応答の受信に応じて、他の論理チャネルの状態にかかわらず個別に他の一次局に移管する手段を有する一次局。
【請求項５】
前記論理チャネルの全てが他の一次局に移管されることを特徴とする、請求項４に記載の一次局。
【請求項６】
二次局であって、一連のデータパケットを一次局から受信する手段と、各パケットが正常に受信されたか否かを決定する手段及び該決定を前記一次局に信号送信する手段と、前記二次局が正常に受信しなかったデータパケットに関連するエラー訂正情報を前記二次局が該パケットを復号化するのを補助するために前記一次局から受信する手段と、複数の論理チャネルを介して前記一連のデータパケットを受信し、これによりエラー訂正情報が他のチャネル上を送信されている間に少なくとも１つのチャネル上でデータパケットの継続された受信を可能にする手段と、他の一次局から少なくとも２つの論理チャネルにおける受信を開始するハンドオーバ手段とを有し、前記少なくとも２つのチャネルは、夫々の論理チャネル上で一番最近に送信されたパケットの正常な受信の前記二次局による肯定応答に応じて、他の論理チャネルの状態にかかわらず、前記一次局から他の一次局へ移管される二次局。
【請求項７】
前記二次局への以降のデータパケットの送信のために利用可能な複数の一次局から少なくとも１つの一次局を選択するためにサイト選択手段が備えられることを特徴とする、請求項６に記載の二次局。
【請求項８】
一連のデータパケットを二次局へ送信するように構成された一次局を有する無線通信システムを動作させる方法であって、前記方法は、各パケットが正常に受信されたか否かを決定し該決定を前記一次局に信号送信する前記二次局と、前記二次局が正常に受信しなかったデータパケットに関連するエラー訂正情報を、前記二次局が該パケットを復号化するのを補助するために送信し、複数の論理チャネルを介して前記一連のデータパケットを送信しこれによりエラー訂正情報が他のチャネル上で送信されている間に少なくとも１つのチャネル上でデータパケットの継続された送信を可能にし、少なくとも２つの論理チャネルの送信を他の一次チャネルに移管することが可能である一次局とを有し、前記少なくとも２つの論理チャネルの夫々は、該論理チャネル上で一番最近に送信されたパケットの正常な受信の肯定応答の受信に応じて、他の論理チャネルの状態にかかわらず、個別に他の一次局に移管される方法。
【請求項９】
前記一次局は各論理チャネルを同一の他の一次局に移管することを特徴とする、請求項８に記載の方法。
【発明の詳細な説明】
【０００１】
【発明の属する技術分野】
本発明は無線通信システムに関し、更にかようなシステムにおいて利用される一次局及び二次局並びにかようなシステムを動作させる方法に関する。本明細書は特にユニバーサル移動通信システム（ＵＭＴＳ）に関してシステムを説明するが、かような手法は他のモバイル無線システムにおける利用にも適用できるものであることは理解されるべきである。
【０００２】
【従来の技術】
モバイル通信の分野において、適度なレートで要求に応じて移動局（Ｍｏｂｉｌｅ Ｓｔａｔｉｏｎ、ＭＳ）に大きなブロックのデータをダウンロードする能力を持つシステムに対する増大している要求がある。かようなデータは例えば、ことによるとビデオクリップ等を含むインターネットからのウェブページであり得る。典型的に、個々のＭＳはかようなデータを断続的に要求するのみであり、固定帯域幅の専用リンクは適切ではない。ＵＭＴＳにおけるこの要求を満たすため、移動局へのパケットデータの転送を４Ｍｂｐｓまで促進し得る高速ダウンリンク・パケットアクセス（ＨＳＤＰＡ）方式が開発されている。
【０００３】
既知の無線通信システムにおいては、任意のある時間において、ＭＳは一般に単一の基地局（Ｂａｓｅ Ｓｔａｔｉｏｎ、ＢＳ）と通信する。呼（ｃａｌｌ）の間、例えばＭＳがそのＢＳから離れる方に移動するにつれて通信リンクの質が悪化した場合に、又は異なるセルのトラフィックの関係する負荷が調節を必要とする場合に、ＭＳは他のＢＳへの移管を調査しようとする。あるＢＳから他への移管の処理はハンドオーバとして知られる。
【０００４】
現在のＵＭＴＳの仕様に従って動作するシステムにおいては、ＭＳは「アクティブセット（ａｃｔｉｖｅ ｓｅｔ）」として知られるＢＳのリストを保持し、それを用いて適度な質の無線リンクが維持されることができることが期待される。前記ＭＳが専用のチャネルモードにあり、かつ前記アクティブセットには多数のＢＳがある場合、前記ＭＳは前記アクティブセット中のＢＳとの「ソフトハンドオーバ」中にある。このモードにおいては、アップリンク送信が前記アクティブリスト中の全てのＢＳによって受信され、前記アクティブリスト中の全てのＢＳは略同一のダウンリンク情報を前記ＭＳに送信する（典型的にはデータ及び制御情報の殆どは同一であるが、パワー制御コマンドは異なる場合がある）。この「ソフトハンドオーバ」手法の欠点は、パワー制御コマンドの１つのセットのみが前記アップリンクにおいて送信され、一方で異なるＢＳからの前記ダウンリンクに渡って送信されるパワー制御コマンドは前記アップリンク送信パワーへの要求との不一致へと帰着するため、アップリンク及びダウンリンク送信のパワーが各個々の無線リンクについて最適化されることができないことである。
【０００５】
通常のソフトハンドオーバ手順は、連続的な接続が維持される必要がある音声リンクのようなリアルタイムのサービスに特に適している。しかしながら、パケットデータリンクについては、動的に変化する無線リンク及びトラフィックの状況を可能にするため、各データパケットのＭＳへの送信のために最適なＢＳを選択することが有利であり得る。かような可能性はＵＭＴＳ ＨＳＤＰＡシステムに予想される。後のデータの送信のためにＢＳを選択する処理はサイト選択として知られ、通常無線チャネルの質の測定及び／又はシステム負荷の考慮に基づいて為される。前記選択はＭＳ、ＢＳ又はこれら２つの幾つかの結合によって為されることができる。本出願人の同時係属中の未公開の英国特許出願第０１０４６１０．１号（整理番号ＰＨＧＢ０１００２７）は、かような選択メカニズムが如何に実装されることができるかの詳細を与える。
【０００６】
提案されるＨＳＤＰＡの実施例は、各データパケットの正常な配送を保証するためＡＲＱ（自動再送要求、Ａｕｔｏｍａｔｉｃ Ｒｅｐｅａｔ ｒｅＱｕｅｓｔ）方式を利用する。なぜなら正確なデータ送信は、貧弱なチャネル状況下の減少されたシステムのスループット（多数の再送信による）よりも重要であると見られるからである。提案される一ＨＳＤＰＡ方式は、ｎチャネルのストップ・アンド・ウェイト（ｓｔｏｐ−ａｎｄ−ｗａｉｔ）ＡＲＱを利用する。かような方式によれば、ｎ個までのパケットが、いずれかが肯定応答される前に送信され得る。このことはスループットを増加し、１つのパケットが正しく受信されなかった場合、更なるパケットが、エラーと共に受信されたパケットの送信と並行して他のチャネルにおいて送信され続ける点で従来のストップ・アンド・ウェイトＡＲＱ方式よりも有利である。
【０００７】
【発明が解決しようとする課題】
しかしながら、ＢＳ間で通信される必要がある状態情報の量を最小化することが要求される場合（このことは一般に望ましいと考えられる）、サイト選択に応じたあるＢＳから他へのダウンリンクパケットチャネルの移管（ｔｒａｎｓｆｅｒ）は、パケットが正しく受信され肯定応答された後にのみ起こることができ、再送信を待っている間は起こらない。このことは、パケットに関連する再送信が元の送信されたパケットと同一でなく付加的な冗長情報を含む、インクリメンタルな冗長性（ｉｎｃｒｅｍｅｎｔａｌ  ｒｅｄｕｎｄａｎｃｙ）を利用するＡＲＱの場合に特に適切である。かような方式が利用されている場合、肯定応答されていないパケットの送信が他のＢＳへ移管される必要がある場合に、かなりの付加的な状態情報がＢＳ間で移管される必要がある。
【０００８】
提案されるｎチャネルＡＲＱの一方式においては、個々のＢＳから個々のＭＳへ全てのパケットが、該ＭＳへのパケットの送信が他のＢＳへと切り換えられる時まで送信される。高速ダウンリンクパケット送信を必要とする多数のＭＳを持つネットワークにおいて、あるＢＳから他へのｎチャネル送信の完全な状態を移管する必要性は、ネットワークにおけるスケジューリングの困難さと、過剰な信号のトラフィックに帰着する。
【０００９】
【課題を解決するための手段】
本発明の目的は上述の問題に対処することにある。
【００１０】
本発明の第１の態様によれば、一連のデータパケットを二次局に送信する手段を持つ一次局を有する無線通信システムであって、ここで前記二次局は各パケットが正常に受信されたか否かを決定する手段と前記一次局に該決定を信号送信する手段とを持ち、前記一次局は、前記二次局が正常に受信しなかったデータパケットに関連するエラー訂正情報を前記二次局が該パケットを復号化するのを補助するために送信する手段と、複数の論理チャネルを介して前記一連のデータパケットを送信し、これによりエラー訂正情報が他のチャネル上を送信されている間に少なくとも１つのチャネル上でデータパケットの継続された送信を可能にする手段と、少なくとも２つの前記論理チャネルの送信を他の一次局へ移管するハンドオーバ手段とを有し、ここで前記ハンドオーバ手段は、前記少なくとも２つの論理チャネルの夫々を、該論理チャネル上で一番最近に送信されたパケットの正常な受信の肯定応答の受信に応じて、他の論理チャネルの状態にかかわらず個別に他の一次局へ移管する手段を有する無線通信システムが提供される。
【００１１】
移管されるべきデータチャネルを一度に１つイネーブルにすることにより、エラー訂正情報を送信させる処理中にある論理チャネルを移管するために必要とされる余分な信号は除去され、それによりシステムの性能を改善する。前記エラー訂正情報はデータパケットの再送信又はインクリメンタルな冗長性方式の利用を有しても良い。前記論理チャネルは全て同一の一次局に移管される必要はない。
【００１２】
本発明の第２の態様によれば、一次局であって、一連のデータパケットを二次局に送信する手段と、前記二次局によって送信された信号から各パケットが正常に受信されたか否かを決定する手段と、前記二次局が正常に受信しなかったデータパケットに関連するエラー訂正情報を前記二次局が該パケットを復号化するのを補助するために送信する手段と、複数の論理パケットを介して一連のデータパケットを送信し、これによりエラー訂正情報が他のチャネル上で送信されている間に少なくとも１つのチャネル上でデータパケットの継続された送信を可能にする手段と、少なくとも２つの論理チャネルの送信を他の一次局に移管するハンドオーバ手段とを有し、ここで前記ハンドオーバ手段は、前記少なくとも２つの論理チャネルの夫々を、該論理チャネル上で一番最近に送信されたパケットの正常な受信の肯定応答の受信に応じて、他の論理チャネルの状態にかかわらず個別に他の一次局に移管する手段を有する一次局が提供される。
【００１３】
本発明の第３の態様によれば、二次局であって、一連のデータパケットを一次局から受信する手段と、各パケットが正常に受信されたか否かを決定する手段及び該決定を前記一次局に信号送信する手段と、前記二次局が正常に受信しなかったデータパケットに関連するエラー訂正情報を前記二次局が該パケットを復号化するのを補助するために前記一次局から受信する手段と、複数の論理チャネルを介して前記一連のデータパケットを受信し、これによりエラー訂正情報が他のチャネル上を送信されている間に少なくとも１つのチャネル上でデータパケットの継続された受信を可能にする手段と、他の一次局から少なくとも２つの論理チャネルにおける受信を開始するハンドオーバ手段とを有し、前記少なくとも２つのチャネルは、夫々の論理チャネル上で一番最近に送信されたパケットの正常な受信の前記二次局による肯定応答に応じて、他の論理チャネルの状態にかかわらず、前記一次局から他の一次局へ移管される二次局が提供される。
【００１４】
本発明の第４の態様によれば、一連のデータパケットを二次局へ送信するように構成された一次局を有する無線通信システムを動作させる方法であって、前記方法は、各パケットが正常に受信されたか否かを決定し該決定を前記一次局に信号送信する前記二次局と、前記二次局が正常に受信しなかったデータパケットに関連するエラー訂正情報を、前記二次局が該パケットを復号化するのを補助するために送信し、複数の論理チャネルを介して前記一連のデータパケットを送信しこれによりエラー訂正情報が他のチャネル上で送信されている間に少なくとも１つのチャネル上でデータパケットの継続された送信を可能にし、少なくとも２つの論理チャネルの送信を他の一次チャネルに移管することが可能である一次局とを有し、前記少なくとも２つの論理チャネルの夫々は、該論理チャネル上で一番最近に送信されたパケットの正常な受信の肯定応答の受信に応じて、他の論理チャネルの状態にかかわらず、個別に他の一次局に移管される方法が提供される。
【００１５】
本発明は、チャネル・バイ・チャネル（ｃｈａｎｎｅｌ−ｂｙ−ｃｈａｎｎｅｌ）方式により、あるＢＳから他へのｎチャネルデータ送信の各チャネルの移管を可能にすることは、システムの動作を改善するという、先行技術にはない認識に基づく。
【００１６】
【発明の実施の形態】
本発明の実施例は例として添付する図を参照しながら以下に説明される。
【００１７】
図において、同一の参照番号は対応する特徴を示すために使われている。
【００１８】
図１を参照すると、無線通信システムは一次局（ＢＳ）１００及び複数の二次局（ＭＳ）１１０を有する。ＢＳ１００はマイクロコントローラ（μＣ）１０２、アンテナ手段１０６に接続された送受信手段（Ｔｘ／Ｒｘ）１０４、送信されるパワーレベルを変更するパワー制御手段（ＰＣ）１０７、及びＰＳＴＮまたは他の適切なネットワークへの接続のための接続手段１０８を有する。各ＭＳ１１０はマイクロコントローラ（μＣ）１１２、アンテナ手段１１６に接続された送受信手段（Ｔｘ／Ｒｘ）１１４、及び送信されるパワーレベルを変更するパワー制御手段（ＰＣ）１１８を有する。ＢＳ１００からＭＳ１１０への通信はダウンリンクチャネル１２２において行われ、一方ＭＳ１１０からＢＳ１００への通信はアップリンクチャネル１２４において行われる。
【００１９】
ＨＳＤＰＡシステムにおいて動作するＭＳ１１０は図２に示される。ここでＭＳ１１０はそれぞれＢＳ１００ａ、１００ｂ及び１００ｃとの３つの双方向通信チャネル２２６ａ、２２６ｂ及び２２６ｃを持ち、その各々がアップリンク及びダウンリンクチャネルを有する。所定の時間において、ＭＳ１１０はそれぞれダウンリンクチャネル２２６ａ、２２６ｂ及び２２６ｃにおいて、ＢＳ１００ａ、１００ｂ及び１００ｃの１つからデータパケットを受信する。サイト選択はＢＳ１００ａ、１００ｂ及び１００ｃのどれにＭＳ１１０が後のデータパケットを送信したいかを選択するＭＳ１１０によって可能とされる。本出願人の同時係属中の未公開の英国特許出願第０１１１４０７．３号（整理番号ＰＨＧＢ０１００６９）において開示されるように、かようなシステムの動作はサイト選択と単一のコードのワードによるＡＲＱメッセージとを結合することによって改善されることができる。かようなシステムの動作はまた、本出願人の同時係属中の未公開の英国特許出願第０１０３７１６．７号（整理番号ＰＨＧＢ０１００２２）において開示されるように、ＢＳ１００ａ、１００ｂ及び１００ｃの夫々と平行パワー制御ループを操作するＭＳ１００によっても改善されることができ、パケット毎に最良のＢＳの選択を容易化する。
【００２０】
既知の方法で動作する４チャネルＡＲＱ方式の例は図３に示される。シーケンス番号ｎを用いてＰｎと識別されるデータパケット３０２は、ダウンリンクチャネル（ＤＬ）１１２において、ＢＳ１００からＭＳ１１０へと次々と送信される。各パケット３０２は、最初のパケットから始まって順番に論理チャネル（ＣＨ）に割り当てられる。それ故パケットＰ１はチャネル１、パケットＰ２はチャネル２に、等と割り当てられる。ＡＲＱは各チャネルについて個別に実行される。
【００２１】
説明されたシナリオにおいては、最初のデータパケットＰ１は第１の論理チャネルを介して送られ、ＭＳ１１０によって正しく受信され、該ＭＳ１１０はアップリンクチャネル１２４上に肯定応答（Ａ１）３０４を送信する。それ故、チャネル１が次に送信のためにスケジューリングされている場合、送信を待っている次のパケットＰ５が選択され、ＭＳ１１０に送信される。同様に、２つ目のデータパケットＰ２は第２の論理チャネルを介して送られる。しかしながら、このパケットはＭＳ１１０によって正しく受信されず、該ＭＳ１１０は否定応答（Ｎ２）３０６を発行する。それ故、チャネル２が次に送信のためにスケジューリングされたとき、パケット２が再び送信される。今度は該パケットは正しく受信され、アップリンクチャネル１２４上に肯定応答３０４が発行され、それによって更なるパケット３０２を送信するためにチャネル２を解放する。
【００２２】
かような方式は単一チャネルＡＲＱ方式に比べて改善されたスループットを提供することができる。なぜなら、あるデータパケット３０２の不正な受信が他のチャネル上で送信されている更なるデータパケットを妨げないからである。しかしながら本方式は、前記データパケットを送信するＢＳ１００が無線チャネル状況に依存した短時間で変更されることができるようなシステムにおいて問題を提供し得る。とりわけ、未だ正常に送信されていないパケット３０２に関する情報と共に最後に正常に送信されたパケット３０２と、そのそれぞれの論理チャネルとの両方を示すために、ＢＳ１００ａ、１００ｂ及び１００ｃ間のかなりの信号送信が必要とされる場合がある。このことは、各失敗したパケット３０２の送信の正確な状態が信号送信される必要がある、インクリメンタルな冗長性が利用されている場合には特に当てはまる。好適な選択肢として考えられ得るように、前記システムが送信するＢＳ１００ａ、１００ｂ及び１００ｃをパケット毎に変更することができる場合、信号送信のトラフィックはデータトラフィックのかなりの断片を有し得る。
【００２３】
この問題は、異なるＢＳ１００ａ、１００ｂ及び１００ｃによって送信されるべき論理チャネルの夫々をイネーブルにすることにより、本発明に従って構成されたシステムにおいて対処される。図４は、４つの論理チャネル及び３つのＢＳ１００ａ、１００ｂ及び１００ｃを持つ、かような方式の動作を示す。第１のＢＳ１００ａは第１のダウンリンクチャネルＤＬ１を通して論理チャネル１及び２を送信し、第２のＢＳ１００ｂは第２のダウンリンクチャネルＤＬ２を通して論理チャネル３を送信し、第３のＢＳ１００ｃは第３のダウンリンクチャネルＤＬ３を通して論理チャネル４を送信する。かようなシステムにおいては、あるＢＳ１００ａ、１００ｂ及び１００ｃから他のものへのパケット送信の移管は単純化される。なぜなら各論理チャネルは、その一番最近に送信されたパケット３０２が正しく受信されている場合に移管されることができるからである。言い換えるとこのことは、異なる論理チャネル上における同一のＭＳ１１０への第２のＢＳ１００ｂからの新たなパケットの送信と並行して、ある論理チャネル上でＭＳ１１０へ送信されている第１のＢＳ１００ａからの送信に帰着することができる。
【００２４】
更に、本発明に従って構成されたシステムにおいては、一番最近のパケットが肯定応答された場合であっても、全てのチャネルを新たなＢＳに移管することは必須ではなく、例えば１つのＢＳが個々のＭＳへのパケットトラフィックの全体を運ぶための十分な容量を持たないような場合に、異なるＢＳにおいて利用可能な容量を利用するために、異なるチャネルは異なるＢＳから送信され続けることができる。前記サイト選択処理は、論理チャネルの全体のセットの代わりに、１以上の論理チャネルの群に対して動作するように為されることもできる。
【００２５】
図４に示されるように、前記論理チャネルは、ＭＳ１１０において単一のデータストリームとして効果的に出現するために時間多重である。しかしながら、並行して例えば周波数多重、符号多重、及び空間多重を含む他の送信の方法も代替として（又は時間多重と若しくは互いに結合して）利用されても良い。空間多重の場合、異なるＡＲＱチャネルについて異なるローブ（ｌｏｂｅ）を持つ、指向性アンテナ配列がＭＳ１１０において利用されることができる。
【００２６】
一実施例において、個々のＢＳ１００ａ、１００ｂ及び１００ｃへのパケットのマッピングは異なるＢＳのトラフィック負荷に従って実行されても良い。各ＢＳからのパケットレートはその空いている容量に比例しても良い。
【００２７】
他の実施例において、個々のＢＳへのパケットのマッピングは、異なるパケットの異なるＱｏＳ（サービス品質、Ｑｕａｌｉｔｙ  ｏｆ  Ｓｅｒｖｉｃｅ）要求に従って実行されても良い。異なるＱｏＳ要求は、ＭＳ１１０上で実行されている異なるアプリケーションに向けられたパケットに因り得る。代わりに、例えば重要度に依存した異なるクラスのビットを出力する音声符号化／復号化器の場合などには、異なるＱｏＳ要求を持つパケットは同一のアプリケーションに起因し得る。低いＢＥＲ（Ｂｉｔ  Ｅｒｒｏｒ  Ｒａｔｅ）又は低い送信遅延を必要とするデータのパケットは、最短パケットキュー及び／又はＭＳ１１０への最良質のリンクを用いてＢＳから送信されるだろう。
【００２８】
本発明は、ネットワークにおけるパケットのスケジューリング及び利用可能なエア・インタフェース資源へのトラフィックのマッピングためのより大きな柔軟性を与える。
【００２９】
上述した実施例はＵＭＴＳ ＦＤＤシステムに関して説明されたが、本発明はかようなシステムにおける利用に制限されるものではなく、例えばＴＤＤ（時分割二重、Ｔｉｍｅ Ｄｉｖｉｓｉｏｎ Ｄｕｐｌｅｘ）を含む広範囲のシステムに適用されても良い。
【００３０】
実際には、ＢＳ選択が再び実行される前に送信されるデータの量は、送信しているＢＳの変更のシステムオーバーヘッドに依存した、１以上のパケットとなり得る。
【００３１】
上述した実施例において、各データパケットは一度に１つのＢＳからＭＳ１１０へ送信される。しかしながら、幾つかの状況においては、同一のパケットが１より多いＢＳから同時に送信されることは有利である場合がある。例えば、３つのＢＳ１００ａ、１００ｂ及び１００ｃが閉じたループのパワー制御下にあるような状況においては、前記ＢＳの２つが同様に良いリンクの質を、好ましくは同一の送信パワーで提供する場合、パケットのデータパケットはこれら２つの基地局から同時に送信されても良い（ソフトハンドオーバの間の送信と同様の方法で）。
【００３２】
上述した実施例への変形例において、一次局と二次局との間に１より多いデータリンクがあり得る。例えば本発明は、異なる周波数における無線リンク間の論理チャネルの移管に、例えそれらが基地の同一ペアの間にある場合であっても適用されることができる。
【００３３】
上述した説明は、本発明に関連する様々な役割を演じるＢＳ１００ａ、１００ｂ及び１００ｃに関連する。実際には、例えばＭＳ１１０と直接に接続する、固定基盤の一部である「ノードＢ」中で、又は無線ネットワークコントローラ（ＲＮＣ）における高レベルにおいてというように、これらのタスクは固定基盤の様々な部分の担当であり得る。本明細書においては、「基地局」又は「一次局」の利用はそれ故、本発明の実施例中に含まれたネットワーク固定基盤の一部を含むことは理解されるべきである。
【００３４】
本開示を読むことにより、他の変更が当業者には明らかであろう。かような変更は、無線通信システム及びその構成部分の設計、製造及び利用において既知である他の特徴を含んでも良く、ここで既に説明された特徴の代わりに又はそれに加えて利用されても良い。
【００３５】
本明細書及び請求項において、要素に先行する「１つの（「ａ」又は「ａｎ」）」という語は、複数のかような要素の存在を除外するものではない。更に、「有する（ｃｏｍｐｒｉｓｅ）」という語は、列記されたものの他の要素又はステップの存在を除外するものではない。
【図面の簡単な説明】
【図１】無線通信システムのブロック模式図である。
【図２】二次局が複数の一次局のどれがデータを送信するかを選択することができるＨＳＤＰＡシステムのブロック模式図である。
【図３】ＨＳＤＰＡのための既知のｎチャネルＡＲＱ方式の動作を説明する図である。
【図４】本発明によるｎチャネルＡＲＱ方式の動作を説明する図である。
【国際公開パンフレット】
2004519910.tif 000003
2004519910.tif 000004
2004519910.tif 000005
2004519910.tif 000006
2004519910.tif 000007
2004519910.tif 000008
2004519910.tif 000009
2004519910.tif 000010
2004519910.tif 000011
2004519910.tif 000012
2004519910.tif 000013
2004519910.tif 000014
2004519910.tif 000015
2004519910.tif 000016
2004519910.tif 000017
2004519910.tif 000018
【国際調査報告】
2004519910.tif 000019
2004519910.tif 000020
2004519910.tif 000021